(57)【要約】【課題】カメラ本体の姿勢に関係なく良好なステレオ音を取得することができるカメラ及びレンズ鏡筒を提供する。【解決手段】対物レンズ（２５）の周囲に配置された少なくとも４つの集音手段（２１，２２，２３，２４）のなかから対物レンズ（２５）の光軸Ｌを通る垂直軸に対してほぼ線対称な位置に配置されている少なくとも２つの集音手段（２１，２２）を選択して音を取得する選択制御手段（１４）を備えている。【選択図】図１
2010160182.tif 000002
【特許請求の範囲】
【請求項１】
対物レンズの周囲に配置された少なくとも４つの集音手段のなかから前記対物レンズの光軸を通る垂直軸に対してほぼ線対称な位置に配置されている少なくとも２つの集音手段を選択して音を取得する選択制御手段を備えていることを特徴とするカメラ。
【請求項２】
前記カメラ本体の姿勢を検知する姿勢検知手段を備え、
前記選択制御手段は、前記姿勢検知手段で検知された前記カメラ本体の姿勢に基づいて前記少なくとも２つの集音手段を選択することを特徴とする請求項１記載のカメラ。
【請求項３】
前記少なくとも４つの集音手段のうち少なくとも２つの集音手段は、前記光軸を通る水平軸の上側に配置され、残りのうちの少なくとも２つの集音手段は前記水平軸の下側に配置され、
前記選択制御手段は、前記光軸を通る水平軸の上側に配置された前記少なくとも２つの集音手段で取得した音と下側に配置された前記少なくとも２つの集音手段で取得した音とを比較し、比較結果より前記水平軸の上側又は下側に配置された前記少なくとも２つの集音手段を選択して音を取得することを特徴とする請求項１又は２記載のカメラ。
【請求項４】
前記少なくとも４つの集音手段のうち少なくとも２つの集音手段は、前記光軸を通る前記垂直軸の右側に配置され、残りのうちの少なくとも２つの集音手段は前記垂直軸の左側に配置され、
前記選択制御手段は、前記垂直軸の左右にそれぞれ配置された少なくとも２つの集音手段で取得される音を合成することを特徴とする請求項１又は２記載のカメラ。
【請求項５】
前記少なくとも４つの集音手段は前記対物レンズを保持するレンズ鏡筒内に配置されていることを特徴とする請求項１〜４のいずれか１項記載のカメラ。
【請求項６】
前記対物レンズによって投影された画像を電気信号に変換するための撮像手段で取得された画像とともに前記少なくとも２つの集音手段で取得された音を記録する記録手段を備えていることを特徴とする請求項１〜５のいずれか１項記載のカメラ。
【請求項７】
対物レンズの周囲に少なくとも４つの集音手段を有し、
前記対物レンズの光軸を通る垂直軸にほぼ線対称な位置に、前記４つの集音手段のうち少なくとも２つが配置されていることを特徴とするレンズ鏡筒。
【発明の詳細な説明】
【技術分野】
【０００１】
この発明はカメラ及びレンズ鏡筒に関する。
【背景技術】
【０００２】
従来、特開２０００−１６５７１８号公報に記載された電子撮像装置が知られている。この電子撮像装置は、被写体からの入射光が通る対物レンズの周囲に主マイク、横マイク、縦マイクを備えている。電子撮像装置を横置き状態にして撮影したときには、主マイク、横マイクを結ぶ仮想線がほぼ水平になり、電子撮像装置を縦置き状態にして撮影したときには、主マイク、縦マイクを結ぶ仮想線がほぼ水平になる。
【先行技術文献】
【特許文献】
【０００３】
【特許文献１】特開２０００−１６５７１８号公報
【発明の概要】
【発明が解決しようとする課題】
【０００４】
上記電子撮像装置を横置き状態から縦置き状態にする場合、電子撮像装置を時計回りに回転させるか反時計回りに回転させるかによって、主マイク、縦マイクが対物レンズの光軸と直交する水平軸の上方に配置されるか下方に配置されるかが決まる。そのため、例えば主マイク、縦マイクが対物レンズの光軸と直交する水平軸の上方に配置されているとき、取得したい音が前記水平軸より上方であれば良好なステレオ音を取得できるが、取得したい音が前記水平軸より下方であると良好なステレオ音を取得できないおそれがある。
【０００５】
この発明はこのような事情に鑑みてなされたもので、その課題はカメラ本体の姿勢に関係なく良好なステレオ音を取得することができるカメラ及びレンズ鏡筒を提供することである。
【課題を解決するための手段】
【０００６】
前述の課題を解決するため請求項１記載の発明のカメラは、対物レンズの周囲に配置された少なくとも４つの集音手段のなかから前記対物レンズの光軸を通る垂直軸に対してほぼ線対称な位置に配置されている少なくとも２つの集音手段を選択して音を取得する選択制御手段を備えていることを特徴とする。
【０００７】
請求項２記載の発明は、請求項１記載のカメラにおいて、前記カメラ本体の姿勢を検知する姿勢検知手段を備え、前記選択制御手段は、前記姿勢検知手段で検知された前記カメラ本体の姿勢に基づいて前記少なくとも２つの集音手段を選択することを特徴とする。
【０００８】
請求項３記載の発明は、請求項１又は２記載のカメラにおいて、前記少なくとも４つの集音手段のうち少なくとも２つの集音手段は、前記光軸を通る水平軸の上側に配置され、残りのうちの少なくとも２つの集音手段は前記水平軸の下側に配置され、前記選択制御手段は、前記光軸を通る水平軸の上側に配置された前記少なくとも２つの集音手段で取得した音と下側に配置された前記少なくとも２つの集音手段で取得した音とを比較し、比較結果より前記水平軸の上側又は下側に配置された前記少なくとも２つの集音手段を選択して音を取得することを特徴とする。
【０００９】
請求項４記載の発明は、請求項１又は２記載のカメラにおいて、前記少なくとも４つの集音手段のうち少なくとも２つの集音手段は、前記光軸を通る前記垂直軸の右側に配置され、残りのうちの少なくとも２つの集音手段は前記垂直軸の左側に配置され、前記選択制御手段は、前記垂直軸の左右にそれぞれ配置された少なくとも２つの集音手段で取得される音を合成することを特徴とする。
【００１０】
請求項５記載の発明は、請求項１〜４のいずれか１項記載のカメラにおいて、前記少なくとも４つの集音手段は前記対物レンズを保持するレンズ鏡筒内に配置されていることを特徴とする。
【００１１】
請求項６記載の発明は、請求項１〜５のいずれか１項記載のカメラにおいて、前記対物レンズによって投影された画像を電気信号に変換するための撮像手段で取得された画像とともに前記少なくとも２つの集音手段で取得された音を記録する記録手段を備えていることを特徴とする。
【００１２】
請求項７記載の発明のレンズ鏡筒は、対物レンズの周囲に少なくとも４つの集音手段を有し、前記対物レンズの光軸を通る垂直軸にほぼ線対称な位置に、前記４つの集音手段のうち少なくとも２つが配置されていることを特徴とする。
【発明の効果】
【００１３】
この発明によれば、カメラ本体の姿勢に関係なく良好なステレオ音を取得することができる。
【図面の簡単な説明】
【００１４】
【図１】図１（ａ）はこの発明の第１実施形態に係るカメラの横置き状態としたときの正面図、図１（ｂ）はカメラの断面を示す概念図である。
【図２】図２（ａ）、（ｂ）は縦置き状態としたときのカメラの正面図である。
【図３】図３はこの発明の第２実施形態に係るカメラの横置き状態としたときの正面図である。
【図４】図４（ａ）、（ｂ）は縦置き状態としたときのカメラの正面図である。
【図５】図５はこの発明の第２実施形態の第１変形例に係るカメラの横置き状態としたときの正面図である。
【図６】図６（ａ）、（ｂ）は縦置き状態としたときのカメラの正面図である。
【図７】図７はこの発明の第２実施形態の第２変形例に係るカメラの横置き状態としたときの正面図である。
【発明を実施するための形態】
【００１５】
以下、この発明の実施の形態を図面に基づいて説明する。
【００１６】
図１（ａ）はこの発明の第１実施形態に係るカメラ１を横置き状態としたときの正面図、図１（ｂ）はカメラ１の断面を示す概念図である。
【００１７】
カメラ１はカメラ本体１０と撮影光学系を構成するレンズ２５と動画撮影時にカメラ本体１０の周囲の音を取得する４つのマイクロフォン（以下マイクという）（集音手段）２１〜２４とを有するレンズ鏡筒２０と備えている。
【００１８】
マイク２１〜２４はレンズ鏡筒２０内に周方向へほぼ９０°の間隔をおいて配置され、それらのマイク２１〜２４の集音部がレンズ鏡筒２０の先端に露出している。第１のマイク２１と第２のマイク２２とが光軸Ｌと直交する水平軸上に配置され、第３のマイク２３と第４のマイク２４とが光軸Ｌと直交する垂直軸上に配置されている。
【００１９】
レンズ鏡筒２０は図１（ｂ）に示すようにマウント部材２８を介してカメラ本体１０に取り付けられている。
【００２０】
カメラ本体１０には、レンズ２５を介して導かれた被写体の画像情報を電気信号に変換する例えばＣＣＤ等の撮像素子（撮像手段）１１と、カメラ本体１０の姿勢を検知する姿勢検知部（姿勢検知手段）１３と、姿勢検知部１３で検知されたカメラ本体１０の姿勢に基づいて４つのマイク２１〜２４のうちからレンズ２５の光軸Ｌを通る垂直軸に対して線対称な位置に配置されているマイク（図１（ａ）の姿勢の場合は第１のマイク２１及び第２のマイク２２）を選択する選択部（選択制御手段）１４と、選択部１４で選択されたマイク（第１、第２のマイク２１，２２又は第３，４のマイク２３，２４）で取得された音声情報を画像情報とともに記録する例えば固体メモリ等の記録部（記録手段）１２とが収容されている。なお、姿勢検知部１３、選択部１４をレンズ鏡筒２０に収容してもよい。
【００２１】
姿勢検知部１３は例えば水銀スイッチで構成される。
【００２２】
選択部１４は例えばワンチップマイコンで構成される。
【００２３】
図１（ａ）に示すようにカメラ１を横置き状態に構えて動画を撮影する場合、撮影領域は横長となり、第１のマイク２１で左方の音が取得され、第２のマイク２２で右方の音が取得される。
【００２４】
図２（ａ）、（ｂ）は縦置き状態としたときのカメラ１の正面図である。
【００２５】
図２（ａ）の縦置き状態はカメラ１を図１（ａ）に示された横置き状態から反時計方向へ９０°回転させたものである。
【００２６】
図２（ａ）に示すようにカメラ１を縦置き状態に構えて動画を撮影する場合、撮影領域は縦長となる。縦置き状態で動画を撮影した場合に、横置き状態で動画を撮影する場合と同様に第１のマイク２１と第２のマイク２２とで音を取得したのでは、第１のマイク２１で光軸Ｌ（図１参照）と直交する水平軸の上方の音が取得され、第２のマイク２２で光軸Ｌと直交する水平軸の下方の音が取得されることになる。動画を再生した場合、水平軸を挟んだ上下の音がステレオ音として左右のスピーカ（図示せず）からそれぞれ出力され、カメラ１の姿勢と音との対応関係が崩れてしまう。この事態を回避するため、選択部１４では第１のマイク２１に代えて第３のマイク２３を選択して左方の音を取得し、第２のマイク２２に代えて第４のマイク２４を選択して右方の音を取得する。このようにすることによって、良好なステレオ音が取得され、動画を再生した場合、カメラ１を縦置き状態に構えたときの垂直軸を挟んだ左右に配置された第３のマイク２３と第４のマイク２４とで取得された音が左右のスピーカからそれぞれ出力される。
【００２７】
なお、同じ縦置き状態であっても図２（ａ）に示す縦置き状態より図２(ｂ)に示す縦置き状態の方が撮影し易いと感じる撮影者もいる。図２(ｂ)の縦置き状態はカメラ１を図１（ａ）に示された横置き状態から時計方向へ９０°回転させたものである。
【００２８】
図２(ｂ)の縦置き状態においては、選択部１４では第１のマイク２１に代えて第４のマイク２４を選択して左方の音を取得し、第２のマイク２２に代えて第３のマイク２３を選択して右方の音を取得する。なお、図２（ａ）及び図２(ｂ)のいずれの縦置き状態であってもマイク２３、２４から光軸Ｌと直交する垂直軸までの距離が同じであるので、同じように音を取得することができる。
【００２９】
この実施形態によれば、カメラ１が横置き状態であっても縦置き状態であっても光軸Ｌと直交する水平軸上に配置されたマイク２１〜２４で音が取得されるので、撮影カメラ本体１０の姿勢に関係なく良好なステレオ音を取得することができる。
【００３０】
図３はこの発明の第２実施形態に係るカメラ１０１の横置き状態としたときの正面図であり、第１実施形態と共通する部分には同一符号を付してその説明を省略する。
【００３１】
この実施形態は、マイク３１〜３４が図１（ａ）のカメラ１のマイク２１〜２４と比較して光軸Ｌを中心とする仮想円の周方向へ４５°ずれた位置に配置されている点で、第１実施形態と相違する。
【００３２】
第１のマイク３１と第４のマイク３４、第２のマイク３２と第３のマイク３３がそれぞれ光軸Ｌと直交する水平軸に対して線対称な位置に配置されている。また、第３のマイク３３と第４のマイク３４、第１のマイク３１と第２のマイク３２がそれぞれ光軸Ｌと直交する垂直軸に対して線対称な位置に配置されている。
【００３３】
選択部１４は、光軸Ｌと直交する水平軸の上側に配置された第３、４のマイク３３，３４で取得した音と水平軸の下側に配置された第１、２のマイク３１，３２とで取得した音とを比較し、その比較結果により水平軸の上側か下側のいずれかに配置された２つのマイクを選択して音を取得する。この実施形態では、各マイクで取得した音の大小を判断し、大きいと判断した方の２つのマイク（例えば第３、第４のマイク３３，３４）を選択する。
【００３４】
図４（ａ）に示すようにカメラ１０１を縦置き状態に構えて動画を撮影する場合には、第２のマイク３２と第１のマイク３１で左方の音の取得し、第３のマイク３３と第４のマイク３４で右方の音の取得し、各マイクの音を比較判断して、音を取得するマイクを決定する。
【００３５】
このようにすることによって、動画を再生した場合、カメラ１０１を縦置き状態に構えたときの垂直軸を挟んだ左右に配置された第２のマイク３２と第３のマイク３３とで取得された音（又は第１のマイク３１と第４のマイク３４とで取得された音）が左右のスピーカからそれぞれ出力される。
【００３６】
図４(ｂ)の縦置き状態においても、第３のマイク３３と第４のマイク３４で左方の音の取得し、第２のマイク３２と第１のマイク３１で右方の音の取得し、各マイクの音を比較判断して、音を取得するマイクを決定する。
【００３７】
この実施形態によれば、光軸Ｌと直交する水平軸の上側と下側とにそれぞれ左右の音を取得するマイクが配置されているので、第１の実施形態よりも良好なステレオ音を取得することができる。
【００３８】
なお、この実施形態では、上述のように縦置き状態及び横置き状態において、光軸Ｌと直交する水平軸の上側又は下側のマイクを選択して音を取得したが、光軸Ｌと直交する垂直軸の左方の２つのマイクの音を合成して左方の音とするとともに、垂直軸の右方の２つのマイクの音を合成して右方の音としてもよい。このようにすることによって、より周囲の音を取得することができる。
【００３９】
また、本実施形態では、マイクを等間隔に配置しているが、等間隔に配置しなくても良い。図５、図６（ａ）、（ｂ）は、本実施形態の第１変形例で、マイクの配置を撮影画面に合わせて横長に配置してある。横置き状態と縦置き状態での撮影画面の横幅に合わせてマイクの間隔を変化させた方が、再生時により自然に感じることができる。
【００４０】
更に、マイクは４つに限らない。図７は本実施形態の第２変形例で、マイクを８つに増やし、第２実施形態の４つのマイクと第１変形例の４つのマイクが全て配置されている。８つのマイク６１〜６４，７１〜７４を全て用いてカメラ本体１０の周囲の音を取得し、撮影者の好みに応じて再生する音を選択することもできるし、複数のマイクの音を合成して再生することもできる。４つのマイクと比較して、選択できる再生音の種類を増やすことができる。
【００４１】
なお、上記各実施形態は本願発明をマイクを有するカメラに適用したものであるが、ビデオカメラその他の録音・撮影機能を有する電子機器に適用してもよい。
【符号の説明】
【００４２】
１、１０１、２０１、３０１：カメラ、１１：ＣＣＤ撮像素子（撮像手段）、１２：記録部（記録手段）、１３：姿勢検知部（姿勢検知手段）、１４：選択部（選択制御手段）、２０、３０、５０、６０：レンズ鏡筒、２１、３１、５１、６１、７１：第１のマイク（集音手段）、２２、３２、５２、６２、７２：第２のマイク（集音手段）、２３、３３、５３、６３、７３：第３のマイク（集音手段）、２４、３４、５４、６４、７４：第４のマイク（集音手段）、Ｌ：光軸。
【図１】
2010160182.tif 000003
【図２】
2010160182.tif 000004
【図３】
2010160182.tif 000005
【図４】
2010160182.tif 000006
【図５】
2010160182.tif 000007
【図６】
2010160182.tif 000008
【図７】
2010160182.tif 000009